(57)【要約】      （修正有）【課題】髪の毛に取り付けてヘアスタイルの変化を誰でも簡単に楽しむことができ、他者との区別化も図れる上、製作コストの低減化にも貢献するヘアアクセサリーを提供する。【解決手段】髪の毛に着脱自在なアクセサリーであって、１本のリボン２の全体が螺旋状に巻かれて成る螺旋リボン３に形成され、その螺旋リボン３が複数並列配置された際の略中央部分４が、髪留め用ゴム６に接続され、自重で複数の螺旋リボン３・・・の束が螺旋リボン装飾体として形成されている。螺旋リボン３（リボン２）は、螺旋形状を保持可能なグログランリボンであり、数種類の色彩の組み合わせで成る。【選択図】図１
0003188710.tif 000002
【実用新案登録請求の範囲】
【請求項１】
髪の毛に着脱自在なアクセサリーであって、１本のリボンの全体が螺旋状に巻かれて成る螺旋リボンに形成され、その螺旋リボンが複数並列配置された際の略中央部分が、髪留め用ゴムに接続され、自重で複数の螺旋リボンの束が螺旋リボン装飾体として形成されていることを特徴とするヘアアクセサリー。
【請求項２】
螺旋リボンを形成するリボンは、螺旋形状を保持可能なグログランリボンであることを特徴とする請求項１に記載したヘアアクセサリー。
【請求項３】
螺旋リボンを形成するリボンは、数種類の色彩の組み合わせで成ることを特徴とする請求項１又は２に記載したヘアアクセサリー。
【請求項４】
螺旋リボンを形成するリボンの全長は、３５〜４５ｃｍであることを特徴とする請求項１〜３のいずれか１項に記載したヘアアクセサリー。
【請求項５】
螺旋リボンは、１２本の略中央部分が、髪留め用ゴムに接続されていることを特徴とする請求項１〜４のいずれか１項に記載したヘアアクセサリー。
【請求項６】
螺旋リボンの両端部は、端部処理が施されていることを特徴とする請求項１〜５のいずれか１項に記載したヘアアクセサリー。
【考案の詳細な説明】
【技術分野】
【０００１】
本考案は、髪の毛に取り付けてヘアスタイルの変化や個性化等を楽しむヘアアクセサリーの技術分野に関する。
【背景技術】
【０００２】
女性（特には小さい女児）が好んで髪の毛に取り付けて楽しむヘアアクセサリー（髪飾り）は従来から公知に属する。
【０００３】
これに関連し、例えば下記特許文献１には、「クリップ部と、前記クリップ部に装着された装飾部とを備え、前記クリップ部は、軸部と、前記軸部を介して互いに対向した状態で開閉動する一対のクリップ部材からなり、前記クリップ部材は、髪を挟むクリップ片部と軸部を介して前記クリップ片部の端部に設けられた把持部とを有している髪飾りにおいて、前記装飾部は、前記把持部の上部に固定され、上方からクリップ部を被覆する第一の装飾部と、前記把持部に固定され側方からクリップ片部を被覆する第二の装飾部とを備えていることを特徴とする髪飾り」（請求項１）が開示されている。
【先行技術文献】
【特許文献】
【０００４】
【特許文献１】登録第３１７１５３８号登録実用新案公報
【考案の概要】
【考案が解決しようとする課題】
【０００５】
前記特許文献１に開示された考案は、髪を確実に束ねることができ、製造コストの低減には寄与するが、装飾部は通例のものが使用されデザイン的に優れている訳ではなく、これを取り付けてみたいという特別なワクワク感や好奇心がわかないといった問題がある。
【０００６】
したがって、本考案が解決しようとする課題は、髪の毛に取り付けてヘアスタイルの変化を誰でも簡単に楽しむことができ、他者との区別化も図れる上、簡単に製作できて製作コストの低減化にも貢献するヘアアクセサリーを提供することにある。
【課題を解決するための手段】
【０００７】
上記課題を解決するための手段として、請求項１記載の考案のヘアアクセサリーは、髪の毛１に着脱自在なアクセサリーであって、１本のリボン２の全体が螺旋状に巻かれて成る螺旋リボン３に形成され、その螺旋リボン３が複数並列配置された際の略中央部分４が、髪留め用ゴム６に接続され、自重で複数の螺旋リボン３・・・の束が螺旋リボン装飾体７として形成されていることを特徴とする。
【０００８】
請求項２に記載したヘアアクセサリーは、前記螺旋リボン３を形成するリボン２が、螺旋形状を保持可能なグログランリボンであることを特徴とする。
【０００９】
請求項３に記載したヘアアクセサリーは、前記螺旋リボン３を形成するリボン２が、数種類の色彩の組み合わせで成ることを特徴とする。
【００１０】
請求項４に記載したヘアアクセサリーは、前記螺旋リボン３を形成するリボン２の全長が、３５〜４５ｃｍであることを特徴とする。
【００１１】
請求項５に記載したヘアアクセサリーは、前記螺旋リボン３について、１２本の略中央部分４が、髪留め用ゴム６に接続されていることを特徴とする。
【００１２】
請求項６に記載したヘアアクセサリーは、前記螺旋リボン３の両端部５、５について、端部処理が施されていることを特徴とする。
【考案の効果】
【００１３】
本考案のヘアアクセサリーは、髪の毛に着脱自在なアクセサリーであって、１本のリボンの全体が螺旋状に巻かれて成る螺旋リボンに形成され、その螺旋リボンが複数並列配置された際の略中央部分が、髪留め用ゴムに接続され、自重で複数の螺旋リボンの束が螺旋リボン装飾体として形成されているので（請求項１）、誰でも簡単に髪の毛に取り付けてヘアスタイルの変化を楽しむことができる。また、螺旋リボン装飾体が従来にない奇抜さ故に他者との区別化に寄与する上、製作コストの低減化にも貢献する。
【００１４】
特に螺旋リボンを形成するリボンは、請求項２のように、螺旋形状を保持可能なグログランリボンであるから、一度螺旋状に形成された後は、その螺旋形状が長い間保持され、長期間の使用に耐える利便性がある。また、このグログランリボンの螺旋リボンは、水に濡れても伸びることがなく螺旋形状を保持する信頼性にも優れている。
【００１５】
さらに請求項３のように、螺旋リボンをなすリボンは数種類の色彩の組み合わせで成るため、数多くの色彩の組み合せを楽しむことができ、需要者層や季節感、流行性、シチュエーションなど多様な条件に適宜対応できる自在性もある。
【００１６】
螺旋リボンを形成するリボンは、全長は３５〜４５ｃｍが好ましく（請求項４）、幼児から大人まで幅広い層に使用できて便利である。その上、その１２本の略中央部分が髪留め用ゴムに接続されている（請求項５）から、ボリューム感のある螺旋リボンを髪留め用ゴムで誰でも簡単に髪の毛に取り付けられて使い勝手がよい。
【００１７】
しかも請求項６のように、螺旋リボンの両端部は端部処理が施されているので、その両端部がほつれることなく長時間使用できる耐久性にも優れている。
【図面の簡単な説明】
【００１８】
【図１】本考案のヘアアクセサリーを示した正面全体図である。
【００１９】
【図２】螺旋リボンの製作要領を示した説明図である。
【００２０】
【図３】ヘアアクセサリーの使用状態を示した全体説明図である。
【考案を実施するための最良の形態】
【００２１】
請求項１〜６に係るヘアアクセサリーの好適な実施形態について、以下図面にしたがいながら説明する。
【００２２】
図１は、本実施形態のヘアアクセサリーの全体図を示しているものである。
【００２３】
このヘアアクセサリーは、図３に示したように、束ねた髪の毛１に取り付けてヘアスタイルの変化や個性化等を楽しむものである。複数の螺旋リボン３・・・の束から成る螺旋リボン装飾体７が特徴的である。
【００２４】
１本のリボン２の全体が螺旋状に巻かれて螺旋リボン３に形成されている。螺旋リボン３の製作法について説明する。
【００２５】
螺旋リボン３に使用されるリボン２としては、螺旋形状を保持可能なグログランリボンが好適である。グログランリボンは、表面に横畝が表れた平織の織物で細巾に織り上げたものであり、螺旋状の形状記憶に適しているためである。
【００２６】
この各種色彩のグログランリボン製のリボン２を複数本用意し、それぞれの全長を４０ｃｍに揃える。長さは４０ｃｍが好適だが、これに限定されるものではなく、例えば３５〜４５ｃｍの範囲内で各々使用される。
【００２７】
上記の各リボン２を、図２に示したように、丸棒８の一端から他端の外周にその全体を螺旋状（クルクル状）に巻き付ける。そのように丸棒８にクルクル状に巻き付けたリボン２の左右の両端部５、５は、クリップ９、９でそれぞれ当該丸棒８に仮止めする。
【００２８】
次に、図示を省略したオーブンの中にアルミ箔を敷き、そのアルミ箔の上に前記丸棒８に螺旋状に巻き付けた当該リボン２を複数並べて載置し、約１４０℃で２０分ぐらい熱する。なお、このように螺旋状の形状を保持（記憶）するための加熱する手段としては、その他例えば蒸気や熱湯等で行なってもよい。
【００２９】
前記のようにした後、少し冷ましてからオーブンよりリボン２・・・を取り出し、クリップ５、５を外した後、丸棒８を抜き取る。
【００３０】
かようにしてリボン２は、螺旋状の螺旋リボン３として形成される。この螺旋リボン３の両端部５、５は、繰り返し使用した際にほつれないように、接着剤（ホットボンド）により端部処理を施す（図示は省略）。
【００３１】
そして、１２本の螺旋リボン３・・・を、長さを揃えて（或いは不揃い状態で）複数並列配置した際の略中央部分４を、グログランリボンの短い一部分から成る接続用リボン１０を用いて、髪留め用ゴム６に巻き付け接着剤により接着して接続する（図１参照）。
【００３２】
したがって、その自重で下方に垂れ下がる複数の螺旋リボン３・・・の束が、房状の螺旋リボン装飾体７として形成される（図１参照）。この螺旋リボン装飾体７は、髪留め用ゴム６を用いて束ねた髪の毛１に簡単に取り付けられる（図３）。
【００３３】
なお、１つの螺旋リボン装飾体７としては、例えば、白色、肌色、ピンク色、緑色等の４色の螺旋リボン３・・・を３本ずつ、合計１２本の組み合わせで製作するのが好適であるが、螺旋リボン３の色彩の種類や本数はこれらに限定されるものではなく、様々な組み合わせが可能である（図１参照）。
【符号の説明】
【００３４】
１      髪の毛
２      リボン
３      螺旋リボン
４      中央部分
５      端部
６      髪留め用輪ゴム
７      螺旋リボン装飾体
【図１】
0003188710.tif 000003
【図２】
0003188710.tif 000004
【図３】
0003188710.tif 000005